(57)【要約】【課題】不凍栓の立上管を、室内に設けた減圧弁を介して再び床下に立ち下げる型式の床下配管において、不凍栓と別個に、減圧弁以降の水配管用排水栓をもうけなくても、上述の水配管内の水を不凍栓から排出できるようにした、水抜き装置を提供する。【解決手段】一次水を供給する不凍栓から室内の減圧弁を介して二次水となり、給湯器に至る立上管の床下部分に、側壁に水抜き孔を穿った管継手を接続し、更に上記管継手の軸心に対して自在に回転する、分岐口を有する分岐継手を管継手に外装するとともに、常時は一次圧と二次圧の水圧差により分岐口を閉塞して一次水が二次水に混入しないようにし、水抜き時は、分岐口を開放して二次水を不凍栓から排出するための逆流防止弁を収容した排水継手の分岐口と、二次側配管の最低部を接続してなる。【選択図】図２
2006194019.tif 000002
【特許請求の範囲】
【請求項１】
一次水を供給する不凍栓から室内の減圧弁を介して二次水となり、給湯器に至る立上管の床下部分に、側壁に水抜き孔を穿った管継手を接続し、更に上記管継手の軸心に対して自在に回転する、分岐口を有する分岐継手を管継手に外装するとともに、常時は一次圧と二次圧の水圧差により分岐口を閉塞して一次水が二次水に混入しないようにし、水抜き時は分岐口を開放して二次水を不凍栓から排出するための逆流防止弁を収容した排水継手の分岐口と、二次側配管の最低部を接続したことを特徴とする水抜き装置。
【発明の詳細な説明】
【技術分野】
【０００１】
本発明は、寒冷地における床下配管の水抜き装置に関し、特に、室内に設けた減圧弁以降から床下に配管する場合の水抜き装置に関する。
【背景技術】
【０００２】
従来、寒冷地においては水抜栓を操作して配管内の水抜きを行い、凍結を防止するのが一般的に行われているが、水ばかりでなく、給湯器以降の湯も同時に抜く方法が、最近行われてきている。一例として、特許文献１に示すように、給湯管を水抜栓のパイプの地上部に接続し、常態では受湯桿で湯を遮断するとともに、排水時は受湯桿を移動し、パイプ内を通って弁箱から水とともに湯も排出しようとするものがあり、また、別の例として、特許文献２に示すように、中間部に排水口を有する継手の、一端の大径部で水圧を受け、他端の小径部で湯圧を受け、ばねで水側に押圧されるピストンにより、常態では水圧力で排水口を閉止し、水抜栓を排水状態にしたときには、ばねにより、ピストンが移動して排水口を開放し、湯を自動的に排出するようにした湯水抜き装置もあり、いずれも湯水抜栓、あるいは水抜栓の１回の操作で水と同時に湯も抜くことができるようにしている。
【０００３】
しかし、地域、住宅によっては、図３に示すように、不凍栓１の立上管２を、保守、点検のため、室内で減圧弁３を介して給湯器４に接続し、減圧弁３と給湯器４間で分岐して水配管を床下に立ち下げ、湯水の圧力を等しくして必要箇所に立ち上げる床下配管もあり、この場合は、分岐以降の水配管（以下、二次側配管６と呼称する）内の水抜きを行うため、二次側配管６の最低部７から排水栓５を分岐して別途設け、不凍栓１を排水状態にした後で排水栓５を操作し、湯と立上管２内の水は不凍栓１から排出し、二次側配管６内の水は排水栓５の下端から排水管（図面省略）に導いて排出しなければならないので、操作が複雑になり、操作し忘れて凍結させる、操作順序を間違えて水を出っぱなしにするという危険性や、排水栓５を必要とし、排水管に導くための配管も必要になるなどコストが高くなる、という欠点があった。
【特許文献１】特願２００２−１９４３８１号公報
【特許文献２】特開２００３−０９６８３５号公報
【発明の開示】
【発明が解決しようとする課題】
【０００４】
そのため、図３のような配管においても、排水栓５を必要とせず、不凍栓１を操作するだけで湯は勿論、水の完全な排出が可能になる、あるいは、湯を抜く必要がないという場合は、通常の水抜栓を使用し、やはり水の完全な排出ができる水抜き装置を提供することを目的とするものである。
【課題を解決するための手段】
【０００５】
本発明の水抜き装置は、一次水を供給する不凍栓から室内の減圧弁を介して二次水となり、給湯器に至る立上管の床下部分に、側壁に水抜き孔を穿った管継手を接続し、更に上記管継手の軸心に対して自在に回転する、分岐口を有する分岐継手を管継手に外装するとともに、常時は一次圧と二次圧の水圧差により分岐口を閉塞して一次水が二次水に混入しないようにし、水抜き時は分岐口を開放して二次水を不凍栓から排出するための逆流防止弁を収容した排水継手の分岐口と、二次側配管の最低部を接続したことを最も主要な特徴とする。
【発明の効果】
【０００６】
本発明によれば、排水栓を使用しなくて良いので、操作が単純化され、操作し忘れ、操作順序のミスによる、凍結、水の無駄が生じにくくなり、また、工事費も含めてコストが安く付き、更に、分岐口が回転自在なため、配管工事が容易になるという利点がある。
【発明を実施するための最良の形態】
【０００７】
以下、図面に即して発明を実施するための最良の形態を説明する。
【実施形態１】
【０００８】
図１に本発明の装置図を示すが、図３に示す従来例との相違点は、二次側配管６の最低部７に接続する排水栓５を省略し、立上管２の床下部分に、管継手８と、更に上記管継手８の軸心に対して自在に回転する、分岐口９を有する分岐継手１０を外装した排水継手１１を接続し、分岐口９と二次側配管６の最低部７を接続したことにある。
【０００９】
排水継手１１は図２に示すように、上下の立上管２に接続される管継手８と、管継手８に外装される分岐継手１０から構成され、両者はＯリング１２、１３により密封され、端部を切り離した弾性環１４により離脱防止させている。管継手８は側壁に複数個の水抜き孔１５を形成し、分岐継手１０は側壁の一部を突出させて収容室１６を形成し、その先端部を分岐口９としている。
【００１０】
収容室１６内には四ふっ化エチレン樹脂（ＰＴＦＥ）に代表されるフッ素樹脂製のボール１７を収容し、その下流側、分岐口９部分に装着されたＯリングを弁座１８とする逆流防止弁１９を形成する。更に分岐口９と二次側配管６の最低部７とを継手等でねじ接続してなる。分岐継手１０を、管継手８の軸心に対して自在に回転させるようにしているのは、二次側配管６との接続を容易にするためである。
【００１１】
不凍栓１の開栓状態では、排水継手１１は一次圧であり、減圧弁３を介して二次側配管６内はそれより低圧の二次圧となるので、その差圧により、ボール１７は弁座１８に密着して一次水が二次側配管６内に混入することを防止している。
【００１２】
水抜きするときは、不凍栓１を操作して排水状態にすると良く、上記差圧が逆転してボール１７は弁座１８から離脱し、二次側配管６内の水は分岐口９、水抜き孔１５を通って不凍栓１から地中に排出されることになる。
【００１３】
不凍栓１として湯水抜栓を使用すれば、湯も同時に地中に排出される。減圧弁３はその構造上、不凍栓１が排水状態になり、二次側配管６が大気圧になれば全開状態になるので、給湯器４に至るその下流側配管、及び減圧弁３自体の凍結の心配はない。
【００１４】
ボール１７は常態で弁座１８に密着しており、不凍栓１を排水状態にしたときに初めて弁座１８から離脱するようになっているので、水を抜かない状態が長期間続いた場合の弁座１８との固着が懸念されるため、本発明では、非粘着性に優れた四ふっ化エチレン樹脂に代表されるフッ素樹脂を使用しているが、必ずしもそれに拘るわけでなく、また、逆流防止弁１９の形状も、例えば、パッキンを装着したピストン弁が弁座を閉塞するようにするなど、その他種々の実施例が考えられ、要するに、不凍栓１の開栓状態では弁座１８を閉塞し、不凍栓１を排水状態にしたときには弁座１８から離脱して二次側配管６内の水を確実に排水するものであれば何でも良い。
【図面の簡単な説明】
【００１５】
【図１】本発明の装置概略図である。
【図２】図１の排水継手１１の１実施形態を示す断面図である。
【図３】従来例による装置概略図である。
【符号の説明】
【００１６】
１          不凍栓
２          立上管    
３          減圧弁
４          給湯器
６          二次側配管
７          最低部
８          管継手
９          分岐口
１０          分岐継手
１１          排水継手
１５          水抜き孔
１７          ボール
１８        弁座
１９          逆流防止弁
【図１】
2006194019.tif 000003
【図２】
2006194019.tif 000004
【図３】
2006194019.tif 000005